(57)【特許請求の範囲】
【請求項１】
エレベータを制御するエレベータ制御部と、
前記エレベータ制御部から前記エレベータに関するエレベータ情報を取得し、取得した前記エレベータ情報に関連した関連情報を含む超音波信号を生成し、生成した前記超音波信号を、前記エレベータのかご内に設けられたスピーカに出力することで、前記エレベータ側から前記かご内の乗客が所持する携帯端末へ前記超音波信号を送信する超音波通信部と、
階床を特定する階床番号と、各階床番号に対応する情報である階床情報とを関連付けて記憶する記憶部と、
を備え、
前記エレベータ制御部は、前記エレベータのかご戸の開閉を制御し、
前記超音波通信部は、
前記かご内に設けられた行先階登録部によって登録された行先階を、前記エレベータ情報として前記エレベータ制御部から取得し、取得した前記行先階に関連した階床情報を含む超音波信号を、前記エレベータ情報に関連した関連情報を含む超音波信号として生成し、
前記行先階登録部によって前記行先階が登録された場合、前記エレベータ制御部から取得した前記行先階に対応する階床情報を前記記憶部から抽出し、抽出した前記階床情報を含む超音波信号を、前記行先階に関連した階床情報を含む超音波信号として生成し、
生成した前記超音波信号を、前記行先階にかごが着床し、前記エレベータ制御部によって前記かご戸が開けられるタイミングで、出力する
エレベータ制御装置。
【請求項２】
前記携帯端末は、
前記超音波通信部から前記超音波信号が入力されることで、前記階床情報を新たに取得するごとに、前回取得した階床情報を削除する
請求項１に記載のエレベータ制御装置。
【請求項３】
前記携帯端末は、
前記超音波通信部から前記超音波信号が入力されることで、前記階床情報を新たに取得した場合、前記超音波通信部と超音波通信可能であるか否かを判定し、
前記超音波通信部と超音波通信できないと判定した場合、過去に取得した階床情報を削除する
請求項１に記載のエレベータ制御装置。
【請求項４】
エレベータのかご内に設けられたスピーカと、
エレベータを制御するエレベータ制御部と、
前記エレベータ制御部から前記エレベータに関するエレベータ情報を取得し、取得した前記エレベータ情報に関連した関連情報を含む超音波信号を生成し、生成した前記超音波信号を、前記スピーカに出力する超音波通信部と、
階床を特定する階床番号と、各階床番号に対応する情報である階床情報とを関連付けて記憶する記憶部と、
を有するエレベータ制御装置と、
前記超音波通信部から前記超音波信号が入力されることで、前記関連情報を取得する携帯端末と、
を備え、
前記エレベータ制御部は、前記エレベータのかご戸の開閉を制御し、
前記超音波通信部は、
前記かご内に設けられた行先階登録部によって登録された行先階を、前記エレベータ情報として前記エレベータ制御部から取得し、取得した前記行先階に関連した階床情報を含む超音波信号を、前記エレベータ情報に関連した関連情報を含む超音波信号として生成し、
前記行先階登録部によって前記行先階が登録された場合、前記エレベータ制御部から取得した前記行先階に対応する階床情報を前記記憶部から抽出し、抽出した前記階床情報を含む超音波信号を、前記行先階に関連した階床情報を含む超音波信号として生成し、
生成した前記超音波信号を、前記行先階にかごが着床し、前記エレベータ制御部によって前記かご戸が開けられるタイミングで、前記エレベータの前記かご内に設けられた前記スピーカに出力することで、前記エレベータ側から前記かご内の乗客が所持する前記携帯端末へ前記超音波信号を送信する
エレベータの情報提供システム。
【請求項５】
かご内にスピーカが設けられたエレベータを制御するエレベータ制御装置によって実行されるエレベータの情報提供方法であって、
前記エレベータに関するエレベータ情報に関連した関連情報を含む超音波信号を生成し、生成した前記超音波信号を、前記スピーカに出力することで、前記エレベータ側から前記かご内の乗客が所持する携帯端末へ前記超音波信号を送信するステップ
を備え、
前記送信するステップは、
前記かご内に設けられた行先階登録部によって登録された行先階を、前記エレベータ情報として取得し、取得した前記行先階に関連した階床情報を含む超音波信号を、前記エレベータ情報に関連した関連情報を含む超音波信号として生成し、
前記行先階登録部によって前記行先階が登録された場合、前記エレベータ情報として取得した前記行先階に対応する階床情報を、階床を特定する階床番号と、各階床番号に対応する情報である階床情報とを関連付けて記憶する記憶部から抽出し、抽出した前記階床情報を含む超音波信号を、前記行先階に関連した階床情報を含む超音波信号として生成し、
生成した前記超音波信号を、前記行先階にかごが着床し、かご戸を開けるタイミングで、前記エレベータの前記かご内に設けられた前記スピーカに出力することで、前記エレベータ側から前記かご内の乗客が所持する前記携帯端末へ前記超音波信号を送信する
エレベータの情報提供方法。
【発明の詳細な説明】
【技術分野】
【０００１】
本発明は、かご内の乗客に情報を提供するエレベータ制御装置、エレベータの情報提供システムおよびエレベータの情報提供方法に関するものである。
【背景技術】
【０００２】
従来から、かご内の乗客に、例えば広告（具体的には、企業の広告、建物内の広告および近隣商店の広告）等の情報を提供する手段として、さまざまな技術が提案されている（例えば、特許文献１、２参照）。
【０００３】
具体的には、特許文献１に記載の従来技術では、かごに設置された表示パネルに２次元コードが表示されているときに、乗客は、自身が所持する携帯端末のカメラでこの２次元コードを撮影する。撮影された２次元コードに含まれる情報が携帯端末に表示されることで、乗客は、提供された情報を確認することができる。
【０００４】
また、特許文献２に記載の従来技術では、かごまたは乗場に設置された発光素子が発光しているときに、乗客は、自身が所持する携帯端末の受光部を発光素子に向けることで、発光素子からの光信号を携帯端末で受信する。受信された光信号に含まれる情報が携帯端末に表示されることで、乗客は、提供された情報を確認することができる。
【先行技術文献】
【特許文献】
【０００５】
【特許文献１】特開２００６−１２４１４０号公報
【特許文献２】特開２００９−２３７３６号公報
【発明の概要】
【発明が解決しようとする課題】
【０００６】
しかしながら、従来技術には以下のような課題がある。
特許文献１に記載の従来技術では、乗客は、自身が所持する携帯端末のカメラで２次元コードを撮影する際、携帯端末のカメラを起動するとともに、画像がぼやけないように撮影しなければならない。また、特許文献２に記載の従来技術では、乗客は、携帯端末の受光部で光信号を受信する際、携帯端末を受光待機モードに設定するとともに、受光部を発光素子に向けなければならない。
【０００７】
このように、かご内の乗客に情報を提供するにあたって、特許文献１に記載の従来技術および特許文献２に記載の従来技術のいずれを適用した場合であっても、携帯端末の操作が面倒であり、乗客の手間がかかるという問題がある。
【０００８】
本発明は、前記のような課題を解決するためになされたものであり、かご内の乗客が携帯端末を用いて情報を取得する際にかかる手間を低減させることのできるエレベータ制御装置、エレベータの情報提供システムおよびエレベータの情報提供方法を得ることを目的とする。
【課題を解決するための手段】
【０００９】
本発明におけるエレベータ制御装置は、エレベータを制御するエレベータ制御部と、エレベータ制御部からエレベータに関するエレベータ情報を取得し、取得したエレベータ情報に関連した関連情報を含む超音波信号を生成し、生成した超音波信号を、エレベータのかご内に設けられたスピーカに出力することで、エレベータ側からかご内の乗客が所持する携帯端末へ超音波信号を送信する超音波通信部と、階床を特定する階床番号と、各階床番号に対応する情報である階床情報とを関連付けて記憶する記憶部と、を備え、エレベータ制御部は、エレベータのかご戸の開閉を制御し、超音波通信部は、かご内に設けられた行先階登録部によって登録された行先階を、エレベータ情報としてエレベータ制御部から取得し、取得した行先階に関連した階床情報を含む超音波信号を、エレベータ情報に関連した関連情報を含む超音波信号として生成し、行先階登録部によって行先階が登録された場合、エレベータ制御部から取得した行先階に対応する階床情報を記憶部から抽出し、抽出した階床情報を含む超音波信号を、行先階に関連した階床情報を含む超音波信号として生成し、生成した超音波信号を、行先階にかごが着床し、エレベータ制御部によってかご戸が開けられるタイミングで、出力するものである。
【００１０】
また、本発明におけるエレベータの情報提供システムは、エレベータのかご内に設けられたスピーカと、エレベータを制御するエレベータ制御部と、エレベータ制御部からエレベータに関するエレベータ情報を取得し、取得したエレベータ情報に関連した関連情報を含む超音波信号を生成し、生成した超音波信号を、スピーカに出力する超音波通信部と、階床を特定する階床番号と、各階床番号に対応する情報である階床情報とを関連付けて記憶する記憶部と、を有するエレベータ制御装置と、超音波通信部から超音波信号が入力されることで、関連情報を取得する携帯端末と、を備え、エレベータ制御部は、エレベータのかご戸の開閉を制御し、超音波通信部は、かご内に設けられた行先階登録部によって登録された行先階を、エレベータ情報としてエレベータ制御部から取得し、取得した行先階に関連した階床情報を含む超音波信号を、エレベータ情報に関連した関連情報を含む超音波信号として生成し、行先階登録部によって行先階が登録された場合、エレベータ制御部から取得した行先階に対応する階床情報を記憶部から抽出し、抽出した階床情報を含む超音波信号を、行先階に関連した階床情報を含む超音波信号として生成し、生成した超音波信号を、行先階にかごが着床し、エレベータ制御部によってかご戸が開けられるタイミングで、エレベータのかご内に設けられたスピーカに出力することで、エレベータ側からかご内の乗客が所持する携帯端末へ超音波信号を送信するものである。
【００１１】
さらに、本発明におけるエレベータの情報提供方法は、かご内にスピーカが設けられたエレベータを制御するエレベータ制御装置によって実行されるエレベータの情報提供方法であって、エレベータに関するエレベータ情報に関連した関連情報を含む超音波信号を生成し、生成した超音波信号を、スピーカに出力することで、エレベータ側からかご内の乗客が所持する携帯端末へ超音波信号を送信するステップを備え、送信するステップは、かご内に設けられた行先階登録部によって登録された行先階を、エレベータ情報として取得し、取得した行先階に関連した階床情報を含む超音波信号を、エレベータ情報に関連した関連情報を含む超音波信号として生成し、行先階登録部によって行先階が登録された場合、エレベータ情報として取得した行先階に対応する階床情報を、階床を特定する階床番号と、各階床番号に対応する情報である階床情報とを関連付けて記憶する記憶部から抽出し、抽出した階床情報を含む超音波信号を、行先階に関連した階床情報を含む超音波信号として生成し、生成した超音波信号を、行先階にかごが着床し、かご戸を開けるタイミングで、エレベータのかご内に設けられたスピーカに出力することで、エレベータ側からかご内の乗客が所持する携帯端末へ超音波信号を送信するものである。
【発明の効果】
【００１２】
本発明によれば、エレベータに関するエレベータ情報に関連した関連情報を含む超音波信号を生成し、生成した超音波信号をかご内に設けられたスピーカに出力する構成を有する。これにより、かご内の乗客が携帯端末を用いて情報を取得する際にかかる手間を低減させることのできるエレベータ制御装置、エレベータの情報提供システムおよびエレベータの情報提供方法を得ることができる。
【図面の簡単な説明】
【００１３】
【図１】本発明の実施の形態１におけるエレベータ制御装置を備えたエレベータの情報提供システムの構成を示すブロック図である。
【図２】本発明の実施の形態１におけるエレベータ制御装置の超音波通信部の一連の動作を示すフローチャートである。
【図３】本発明の実施の形態２におけるエレベータ制御装置の超音波通信部の一連の動作を示すフローチャートである。
【図４】本発明の実施の形態３における携帯端末の一連の動作を示すフローチャートである。
【図５】本発明の実施の形態４における携帯端末の一連の動作を示すフローチャートである。
【発明を実施するための形態】
【００１４】
以下、本発明によるエレベータ制御装置、エレベータの情報提供システムおよびエレベータの情報提供方法を、好適な実施の形態に従って図面を用いて説明する。
【００１５】
実施の形態１．
図１は、本発明の実施の形態１におけるエレベータ制御装置２０を備えたエレベータの情報提供システムの構成を示すブロック図である。図１において、このエレベータの情報提供システムは、かご内操作盤１０、エレベータ制御装置２０および携帯端末３０を備える。
【００１６】
かご内操作盤１０は、エレベータのかご内に設けられており、スピーカ１１および行先階登録部１２を有する。スピーカ１１は、かご内の乗客へ音を出力するのに用いられ、後述する超音波通信部２３からの超音波信号をかご内へ出力する。
【００１７】
行先階登録部１２は、かご内の乗客の行先である階床（以降では、行先階と称す）を登録するためのものである。具体的には、行先階登録部１２は、行先階ボタン（図示せず）を含んで構成される。ここで、かご内の乗客が、自身の行先階に対応する行先階ボタンを押下すると、行先階が登録されてかごが走行される。これにより、かご内の乗客は、自身の行先階へ行くことができる。
【００１８】
エレベータ制御装置２０は、エレベータ制御部２１、記憶部２２および超音波通信部２３を有する。
【００１９】
エレベータ制御部２１は、エレベータ全体の動作を制御する。また、エレベータ制御部２１には、行先階登録部１２によって登録された行先階が入力される。具体的には、エレベータ制御部２１は、例えば、行先階登録部１２によって登録された行先階へかごを走行させて着床させる走行制御を行う。また、エレベータ制御部２１は、例えば、かご戸の開閉動作を制御する開閉制御を行う。エレベータ制御部２１によるこのような制御が行われることで、かご内の乗客は、自身の行先階でかごから降車することができる。
【００２０】
記憶部２２は、エレベータが設置される建物の階床を特定する階床番号と、各階床番号に対応する情報である階床情報とを関連付けて記憶する。なお、ここでいう階床番号とは、階床を示す数字だけでなく、グラウンドフロアを示すＧや屋上階を示すＲ、地下階を示すＢ等の文字も含むものである。また、ここでいう階床情報とは、例えば、ある階床に位置する店舗のクーポンおよび広告等が挙げられる。
【００２１】
具体的には、例えば、エレベータが設置される建物が３階建てであって、１Ｆの店舗、２Ｆの店舗および３Ｆの店舗のそれぞれが異なっている場合、１Ｆに関する階床情報と、２Ｆに関する階床情報と、３Ｆに関する階床情報とは、それぞれ異なるので区別する必要がある。そこで、記憶部２２には、階床番号と、階床情報とを関連付けてあらかじめ記憶するように構成している。
【００２２】
超音波通信部２３は、記憶部２２から、行先階登録部１２によって登録された行先階に対応する階床情報を抽出し、抽出した階床情報を含んだ超音波信号をスピーカ１１へ出力する。このように、超音波通信部２３は、超音波を搬送波として、超音波通信を行う。より具体的には、超音波通信部２３は、行先階登録部１２によって登録された行先階をエレベータ制御部２１から取得し、取得した行先階に対応する階床情報を記憶部２２から抽出する。また、超音波通信部２３は、抽出した階床情報を含んだ超音波信号を生成し、生成した超音波信号をスピーカ１１に出力する。
【００２３】
携帯端末３０は、例えば、スマートホンであり、超音波通信用のアプリケーションがインストールされている。ここで、携帯端末３０を所持するかご内の乗客によってこのアプリケーションが起動されれば、超音波通信部２３と携帯端末３０との間で超音波通信可能となり、超音波通信が行われる。また、携帯端末３０は、超音波通信部２３から取得した階床情報を表示する。
【００２４】
なお、かご内の乗客は、携帯端末３０を所持し、超音波通信用のアプリケーションを起動した上で、行先階登録部１２を操作することで、自身の行先階を登録するとする。この場合、超音波通信部２３は、登録されたこの行先階に対応する階床情報を抽出し、抽出した階床情報を含んだ超音波信号を、スピーカ１１を介してかご内へ出力する。超音波通信部２３によって出力されたこの超音波信号は、携帯端末３０で受信され、受信された超音波信号に含まれる階床情報が携帯端末３０に表示される。したがって、かご内の乗客は、自身が行先階登録部１２を操作することで登録した行先階に対応する階床情報を取得することができる。
【００２５】
このように、乗客は、行先階登録部１２を操作する前に、超音波通信用のアプリケーションが起動しておくだけで、携帯端末３０を用いて、自身の行先階に対応する階床情報を取得することができる。したがって、携帯端末の面倒な操作をすることがないので、かご内の乗客が携帯端末を用いて情報を取得する際にかかる手間を低減させることができる。また、自身の行先階に対応する階床情報を取得することができるので、乗客の利便性を向上させることができる。
【００２６】
次に、本実施の形態１におけるエレベータの情報提供システムの一連の動作について、図２を参照しながら説明する。図２は、本発明の実施の形態１におけるエレベータ制御装置２０の超音波通信部２３の一連の動作を示すフローチャートである。なお、図２のフローチャートは、行先階登録部１２によって行先階が新たに登録されるごとに実行される。また、ここでは、携帯端末３０を所持する乗客は、超音波通信用のアプリケーションを起動した後、行先階登録部１２を操作することで、行先階を登録するものとする。
【００２７】
ステップＳ１０１において、超音波通信部２３は、行先階登録部１２によって新たに登録された行先階に対応する階床情報を、記憶部２２から抽出し、ステップＳ１０２へと進む。なお、具体的には、超音波通信部２３は、前述したように、行先階登録部１２によって登録された行先階をエレベータ制御部２１から取得する。
【００２８】
ステップＳ１０２において、超音波通信部２３は、ステップＳ１０１で記憶部２２から抽出した階床情報を超音波通信することで携帯端末３０へ送信し、一連の処理を終了する。なお、具体的には、超音波通信部２３は、前述したように、記憶部２２から抽出した階床情報を含んだ超音波信号を生成し、生成した超音波信号をスピーカ１１に出力する。このように、ステップＳ１０１で記憶部２２から抽出した階床情報が含まれる超音波は、スピーカ１１を介して出力されることで、携帯端末３０で受信される。したがって、携帯端末３０を所持する乗客は、超音波通信用のアプリケーションを起動した後、行先階登録部１２を操作することで行先階を登録した場合、その行先階に対応する階床情報を取得することができる。
【００２９】
以上、本実施の形態１によれば、行先階登録部によって登録された行先階を、エレベータに関するエレベータ情報としてエレベータ制御部から取得し、取得した行先階に関連した階床情報を含む超音波信号を、エレベータ情報に関連した関連情報を含む超音波信号として生成する超音波通信部を備えた構成を有する。これにより、携帯端末の面倒な操作をすることがないので、かご内の乗客が携帯端末を用いて情報を取得する際にかかる手間を低減させることができる。
【００３０】
また、階床を特定する階床番号と各階床番号に対応する情報である階床情報とを関連付けて記憶する記憶部をさらに備え、超音波通信部は、行先階登録部によって行先階が登録された場合、エレベータ制御部から取得した行先階に対応する階床情報を記憶部から抽出し、抽出した階床情報を含む超音波信号を、行先階に関連した階床情報を含む超音波信号として生成する構成を有する。これにより、上記と同様に、かご内の乗客が携帯端末を用いて情報を取得する際にかかる手間を低減させることができるとともに、さらに、乗客の行先階に関する情報を取得することができるので、乗客の利便性を向上させることができる。
【００３１】
実施の形態２．
本発明の実施の形態２では、先の実施の形態１に対して、行先階登録部１２によって新たに登録された行先階にかごが着床し、かご戸が開けられるタイミングで、超音波通信部２３が携帯端末３０と超音波通信するように構成する場合について説明する。
【００３２】
以下、本実施の形態２におけるエレベータの情報提供システムの一連の動作について、図３のフローチャートを参照しながら説明する。図３は、本発明の実施の形態２におけるエレベータ制御装置２０の超音波通信部２３の一連の動作を示すフローチャートである。なお、図３のフローチャートは、先の図２と同様に、行先階登録部１２によって行先階が新たに登録されるごとに実行される。
【００３３】
また、本実施の形態２では、エレベータ制御装置２０の超音波通信部２３の動作が先の実施の形態１と異なり、エレベータ制御装置２０のその他の構成部、かご内操作盤１０および携帯端末３０のそれぞれは、先の実施の形態１と同様のものである。したがって、ここでは、先の実施の形態１と同様の部分については説明を省略し、先の実施の形態１と異なる超音波通信部２３の動作を中心に説明する。
【００３４】
ステップＳ２０１において、超音波通信部２３は、先の図２のステップＳ１０１と同様の動作を行い、ステップＳ２０２へと進む。
【００３５】
ステップＳ２０２において、超音波通信部２３は、エレベータ制御部２１によるかごの走行制御に従って、行先階登録部１２によって新たに登録された行先階にかごが着床した上で、エレベータ制御部２１によるかご戸の開閉制御に従ってかご戸が開けられるタイミングになったか否かを判定する。また、超音波通信部２３は、このタイミングになった（すなわち、ＹＥＳ）と判定した場合には、ステップＳ２０３へと進む。一方、超音波通信部２３は、このタイミングになっていない（すなわち、ＮＯ）と判定した場合には、再びステップＳ２０２の処理を繰り返す。すなわち、超音波通信部２３は、このタイミングになるまで、ステップＳ２０２の処理を繰り返すこととなる。
【００３６】
ステップＳ２０３において、超音波通信部２３は、先の図２のステップＳ１０２と同様の動作を行い、一連の処理を終了する。したがって、携帯端末３０を所持する乗客は、超音波通信用のアプリケーションを起動した後、行先階登録部１２を操作することで行先階を新たに登録した場合、かごがその行先階に着床した上でかご戸が開く際に、その行先階に対応する階床情報を取得することができる。
【００３７】
以上、本実施の形態２によれば、先の実施の形態１に対して、エレベータ制御部は、エレベータのかご戸の開閉を制御し、超音波通信部は、行先階登録部によって行先階が登録された場合、登録された行先階に対応する階床情報を記憶部から抽出し、抽出した階床情報を含む超音波信号を生成し、生成した超音波信号を、登録された行先階にかごが着床し、エレベータ制御部によってかご戸が開けられるタイミングで、出力する構成を有する。これにより、先の実施の形態１と同様の効果が得られる。
【００３８】
実施の形態３．
本発明の実施の形態３では、先の実施の形態２に対して、かご内の乗客が行先階登録部１２を操作することで登録した自身の行先階にかごが着床するまでに、自身の行先階とは異なる階床にかごが着床することを考慮する場合について説明する。
【００３９】
ここで、自身の行先階とは異なる階床にかごが着床する場合の具体例として、例えば、かご内に複数の乗客が存在しており、複数の行先階が登録されることで、自身の行先階にかごが着床するまでに、別の乗客によって登録された行先階にかごが着床する場合がある。このような場合、先の実施の形態２の構成では、自身の行先階にかごが着床するまでに、自身の行先階とは異なる別の階床に対応する階床情報が携帯端末３０で受信されてしまう。したがって、かご内の乗客は、自身の行先階に対応する階床情報以外に自身の行先階とは異なる別の階床に対応する階床情報も併せて取得することとなる。
【００４０】
これに対して、本実施の形態３では、自身の行先階とは異なる階床にかごが着床した場合であっても、自身の行先階とは異なる別の番号に対応する階床情報が削除され、自身の行先階に対応する階床情報のみを残すことができるものについて説明する。
【００４１】
以下、本実施の形態３におけるエレベータの情報提供システムの一連の動作について、図４を参照しながら説明する。図４は、本発明の実施の形態３における携帯端末３０の一連の動作を示すフローチャートである。なお、図４のフローチャートは、携帯端末３０が超音波通信部２３から階床情報を新たに取得するごとに実行される。
【００４２】
また、本実施の形態３では、携帯端末３０の動作が先の実施の形態２と異なり、かご内操作盤１０およびエレベータ制御装置２０のそれぞれは、先の実施の形態２と同様のものである。したがって、ここでは、先の実施の形態２と同様の部分については説明を省略し、先の実施の形態２とは異なる携帯端末３０の動作を中心に説明する。
【００４３】
ステップＳ３０１において、携帯端末３０は、現在保持している階床情報を削除し、ステップＳ３０２へと進む。
【００４４】
ステップＳ３０２において、携帯端末３０は、超音波通信部２３から新たに取得した階床情報を保持し、一連の処理を終了する。
【００４５】
このように、携帯端末３０は、超音波通信部２３から階床情報を新たに取得するたびに、前回取得した階床情報を削除することとなる。また、かご内の乗客は、自身の行先階に対応する階床情報を取得した後においては、かごから降車するので、所持する携帯端末３０と超音波通信部２３との間で超音波通信が行われない。そのため、自身の行先階に対応する階床情報は、超音波通信部２３から最後に取得して保持した階床情報となるので、削除されることがない。
【００４６】
したがって、携帯端末３０をこのように構成することで、かご内の乗客は、自身の行先階とは異なる階床にかごが着床した場合であっても、自身の行先階とは異なる別の階床に対応する階床情報が削除され、自身の行先階に対応する階床情報のみを残すことができる。
【００４７】
以上、本実施の形態３によれば、先の実施の形態２に対して、携帯端末は、超音波通信部から超音波信号が入力されることで、超音波通信部から階床情報を新たに取得するごとに、前回取得した階床情報を削除する構成を有する。これにより、自身の行先階とは異なる階床にかごが着床した場合であっても、自身の行先階に対応する階床情報のみを残すことができ、乗客の利便性をより向上させることができる。
【００４８】
実施の形態４．
本発明の実施の形態４では、先の実施の形態３とは異なる手法で、かご内の乗客が行先階登録部１２を操作することで登録した自身の行先階にかごが着床するまでに、自身の行先階とは異なる階床にかごが着床することを考慮する場合について説明する。
【００４９】
以下、本実施の形態４におけるエレベータの情報提供システムの一連の動作について、図５を参照しながら説明する。図５は、本発明の実施の形態４における携帯端末３０の一連の動作を示すフローチャートである。なお、図５のフローチャートは、先の図４と同様に、携帯端末３０が超音波通信部２３から階床情報を新たに取得するごとに実行される。
【００５０】
また、本実施の形態４では、携帯端末３０の動作が先の実施の形態２と異なり、かご内操作盤１０およびエレベータ制御装置２０のそれぞれは、先の実施の形態２と同様のものである。したがって、ここでは、先の実施の形態２と同様の部分については説明を省略し、先の実施の形態２とは異なる携帯端末３０の動作を中心に説明する。
【００５１】
ステップＳ４０１において、携帯端末３０は、超音波通信部２３と超音波通信可能な状態であるか否かを判定する。また、携帯端末３０は、超音波通信部２３と超音波通信可能な状態である（すなわち、ＹＥＳ）と判定した場合には、ステップＳ４０２へと進む。一方、携帯端末３０は、超音波通信部２３と超音波通信可能な状態でない（すなわち、ＮＯ）と判定した場合には、ステップＳ４０３へと進む。
【００５２】
ここで、携帯端末３０が超音波通信部２３と超音波通信可能な状態であるか否かを判定する具体的な方法としては、例えば、以下のような方法が挙げられる。
【００５３】
例えば、携帯端末３０と超音波通信部２３とが超音波通信可能なエリアをあらかじめ設定し、携帯端末３０がＧＰＳ等から取得する位置情報を利用して、携帯端末３０がこのエリア内になければ、携帯端末３０と超音波通信部２３とが超音波通信可能な状態でないと判定するように構成する。
【００５４】
また、例えば、携帯端末３０は、超音波通信部２３から階床情報を新たに取得した時点からあらかじめ設定された時間が経過したときに、超音波通信部２３から階床情報をさらに取得していなければ、かご内の乗客がかごから降車し、携帯端末３０と超音波通信部２３との間で超音波通信が行われないと考えられる。そこで、超音波通信部２３から階床情報を新たに取得した時点からあらかじめ設定された時間が経過したときに、超音波通信部２３から階床情報をさらに取得していなければ、携帯端末３０と超音波通信部２３とが超音波通信可能な状態でないと判定するように構成する。
【００５５】
さらに、例えば、携帯端末３０と超音波通信部２３との間で超音波通信が可能であることを確認するための通信を携帯端末３０と超音波通信部２３との間で定期的に行う。そして、このような確認をするための通信を互いに行うことができなくなれば、携帯端末３０と超音波通信部２３とが超音波通信可能な状態でないと判定するように構成する。具体例として、例えば、行先階登録部１２によって２Ｆおよび３Ｆが登録された場合、超音波通信部２３は、２Ｆの階床情報を送信した後、３Ｆの階床情報を送信するまでの間に、携帯端末３０と超音波通信が可能であることを確認するための通信を定期的に行う。このように構成することで、携帯端末３０と超音波通信部２３とが超音波通信可能な状態でないと、より短時間で判定することが可能となる。
【００５６】
ステップＳ４０２において、携帯端末３０は、超音波通信部２３から新たに取得した階床情報を保持し、一連の処理を終了する。ステップＳ４０２が実行されるごとに、携帯端末３０は、新たに取得した階床情報を保持していくこととなるので、階床情報の保持数が増加していくこととなる。
【００５７】
ステップＳ４０３において、携帯端末３０は、現在保持している階床情報のうち、最後に取得した階床情報以外を削除し、一連の処理を終了する。ステップＳ４０３が実行されるごとに、携帯端末３０は、これまでに保持していた階床情報のうち、最後に取得した階床情報以外を削除し、超音波通信部２３から最後に取得した階床情報だけを保持することとなる。
【００５８】
このように、携帯端末３０は、超音波通信部２３から階床情報を新たに取得した場合、超音波通信部２３と超音波通信可能であるか否かを判定し、超音波通信部２３と超音波通信できないと判定すると、過去に取得した階床情報を削除することとなる。
【００５９】
したがって、携帯端末３０をこのように構成することで、かご内の乗客は、自身の行先階とは異なる階床にかごが着床した場合であっても、自身の行先階とは異なる別の階床に対応する階床情報が削除され、自身の行先階に対応する階床情報のみを残すことができる。
【００６０】
以上、本実施の形態４によれば、先の実施の形態２に対して、携帯端末は、超音波通信部から超音波信号が入力されることで、超音波通信部から階床情報を新たに取得した場合、超音波通信部と超音波通信可能であるか否かを判定し、超音波通信部と超音波通信できないと判定すると、過去に取得した階床情報を削除する構成を有する。これにより、先の実施の形態３と同様の効果が得られる。
【００６１】
なお、本願発明では、超音波通信を適用しているので、無線通信を適用する場合とは異なりかご側に特別な装置を設置する必要がなく、一般的なかご内操作盤に設けられている既存のスピーカを利用することができる。したがって、無線通信を適用する場合と比べて、コストを低減させることができる。また、超音波通信においては、超音波が届く範囲が限られているので、かご内にいる乗客が所持する携帯端末とだけ通信可能とすることができる。したがって、かご内にいない乗客には情報を提供せず、かご内の乗客に確実に情報を提供することができる。
【００６２】
また、基準階（例えば、１Ｆ等の玄関階）にあるエレベータ乗場に設置されている乗場スピーカに対して本願発明を適用してもよい。この場合、乗客がエレベータ乗場の乗場操作盤を操作することで、超音波通信部２３は、乗場スピーカを介して携帯端末３０と超音波通信することで、情報を携帯端末３０に送信する。これにより、乗客は、携帯端末３０が取得した情報を参照することで自身の行先階を決定することができる。
【００６３】
さらに、本実施の形態１では、超音波通信部２３は、エレベータ制御部２１から、エレベータ情報として、行先階登録部１２によって登録された行先階を取得し、取得した行先階に対応する階床情報を含む超音波信号を生成する場合について例示した。しかしながら、これに限定されず、超音波通信部２３は、エレベータ制御部２１から、行先階登録部１２によって登録された行先階以外のエレベータ情報を取得し、取得したエレベータ情報に関連した関連情報を含む超音波信号を生成してもよい。
【符号の説明】
【００６４】
１０  かご内操作盤、１１  スピーカ、１２  行先階登録部、２０  エレベータ制御装置、２１  エレベータ制御部、２２  記憶部、２３  超音波通信部、３０  携帯端末。
【図１】
0006639093.tif 000002
【図２】
0006639093.tif 000003
【図３】
0006639093.tif 000004
【図４】
0006639093.tif 000005
【図５】
0006639093.tif 000006